(57)【要約】      （修正有）【課題】作業経路を生成するときに、自律走行作業車両の作業機の作業幅に満たない作業領域が発生する場合でも未耕地が残ることがない経路生成ができるようにする。【解決手段】車体部を走行させる走行領域Ｈ、前記車体部の幅、前記車体部に装着される作業機２４の幅となる走行作業幅Ｗ１、それぞれの情報を記憶可能な記憶部と、前記走行領域において、前記作業機により作業される作業経路を生成可能な制御部と、前記作業経路が生成される第１領域ＨＡと、前記第１領域の側部に設定される側部余裕地である第２領域ＨＣとを設定する設定部と、を備え、前記制御部は、前記第１領域に生成した前記作業経路において前記走行作業幅の所定幅よりも狭くなる経路が存在する場合、前記第２領域を前記第１領域として走行作業幅の作業経路を生成する。【選択図】図６
2020113295.tif 000002
【特許請求の範囲】
【請求項１】
車体部を走行させる走行領域、前記車体部の幅、前記車体部に装着される作業機の幅となる走行作業幅、それぞれの情報を記憶可能な記憶部と、
前記走行領域において、前記作業機により作業される作業経路を生成可能な制御部と、
前記作業経路が生成される第１領域と、前記第１領域の側部に設定される側部余裕地である第２領域とを設定する設定部と、を備え、
前記制御部は、
前記第１領域に生成した前記作業経路において前記走行作業幅の所定幅よりも狭くなる経路が存在する場合、
前記第２領域を前記第１領域として走行作業幅の作業経路を生成する
ことを特徴とする経路生成装置。
【請求項２】
前記第２領域の幅が前記走行作業幅に基づいて特定される制限幅以下となる場合に、
前記制御部は、前記第２領域の幅を調整することができない
ことを特徴とする請求項１に記載の経路生成装置。
【発明の詳細な説明】
【技術分野】
【０００１】
本発明は、無人走行作業車両により作業を行う作業システムにおいて、無人走行作業車両が作業を行う作業経路に、作業幅に満たない作業領域が存在する場合の経路生成に関する。
【背景技術】
【０００２】
従来、親作業車とこの親作業車に追従する無人操縦式の子作業車とにより対地作業を行う作業車協調システムが公知となっている（例えば、特許文献１参照）。該作業車協調システムにおいては、親作業車は運転者による有人操縦によって、圃場両端の転回エリアでの親転回走行経路と、両端の転回エリア間を対地作業しながら直線走行する親作業走行経路が作り出され、子作業車の走行経路は、両端の転回エリアの間を対地作業しながら親作業車を追従する子作業走行経路と、転回エリアでの子転回走行経路からなり、無人操縦によってその経路を走行するようにしていた。
【先行技術文献】
【特許文献】
【０００３】
【特許文献１】特開２０１４−１７８７５９号公報
【発明の概要】
【発明が解決しようとする課題】
【０００４】
前記技術において、親作業車と子作業車とにより圃場内の作業領域を協調作業し、最終の作業経路に小作業車となる無人走行作車両が位置したとき、その経路の作業幅が小作業車が備える作業機の作業幅より短い場合、無人走行作車両は作業領域をはみ出して作業をしてしまうため、自動走行を停止し、作業を終了してしまうことがあった。この場合未作業地が残ることになる。また、最終の経路が斜めの作業領域を通過するような場合においては、どの位置から作業を始めるか、または、終了するかが明確に設定されていないと、未作業地が発生するおそれがあった。
【０００５】
本発明は、以上の如き状況に鑑みてなされたものであり、作業経路を生成するときに、自律走行作業車両（無人走行作車両）の作業機の作業幅に満たない作業領域が発生する場合、作業幅に満たない作業領域をどのように処理するかを設定できる経路生成装置を提供しようとする。
【課題を解決するための手段】
【０００６】
本発明の解決しようとする課題は以上の如くであり、次にこの課題を解決するための手段を説明する。
即ち、請求項１においては、車体部を走行させる走行領域、前記車体部の幅、前記車体部に装着される作業機の幅となる走行作業幅、それぞれの情報を記憶可能な記憶部と、前記走行領域において、前記作業機により作業される作業経路を生成可能な制御部と、前記作業経路が生成される第１領域と、前記第１領域の側部に設定される側部余裕地である第２領域とを設定する設定部と、を備え、前記制御部は、前記第１領域に生成した前記作業経路において前記走行作業幅の所定幅よりも狭くなる経路が存在する場合、前記第２領域を前記第１領域として走行作業幅の作業経路を生成する経路生成装置である。
【０００７】
請求項２においては、前記第２領域の幅が前記走行作業幅に基づいて特定される制限幅以下となる場合に、前記制御部は、前記第２領域の幅を調整することができないものである。
【発明の効果】
【０００８】
本発明によれば、第１領域に作業経路を生成したときに走行作業幅の所定幅よりも狭い条または狭い部分が存在する狭作業経路が生じる場合、狭作業経路と第１領域の側部に設定される側部余裕地である第２領域に跨る走行作業幅の作業経路を第１領域に生成することによって、未耕地が残ることがない作業経路の設定を行うことできる。
【図面の簡単な説明】
【０００９】
【図１】自律走行作業車両と走行作業車両の概略側面図。
【図２】制御ブロック図。
【図３】初期画面を示す図。
【図４】圃場設定を示す図。
【図５】圃場の領域を示す図。
【図６】作業領域内の最終条の作業経路が狭作業経路となる場合の圃場を示す図。
【図７】作業領域が台形となる場合の圃場を示す図。
【図８】作業領域が階段状となる場合の圃場を示す図。
【図９】最初の作業経路長が短い場合の圃場を示す図。
【発明を実施するための形態】
【００１０】
無人で自律走行可能な自律走行作業車両（以下、無人車両と称することがある）１、及び、この自律走行作業車両１に協調して作業者（ユーザ）が操向操作する有人の走行作業車両（以下、有人車両と称することがある）１００をトラクタとし、自律走行作業車両１及び走行作業車両１００には作業機としてロータリ耕耘装置がそれぞれ装着されている実施例について説明する。但し、作業車両はトラクタに限定するものではなく、コンバイン等でもよく、また、作業機はロータリ耕耘装置に限定するものではなく、畝立て機や草刈機やレーキや播種機や施肥機等であってもよい。
【００１１】
本明細書において「自律走行」とは、トラクタが備える制御部（ＥＣＵ）によりトラクタが備える走行に関する構成が制御されて予め定められた経路に沿ってトラクタが走行することを意味する。単一の圃場における農作業を、無人車両及び有人車両で実行することを、農作業の協調作業、追従作業、随伴作業などと称することがある。なお、農作業の協調作業としては、「単一圃場における農作業を、無人車両及び有人車両で実行すること」に加え、「隣接する圃場等の異なる圃場における農作業を同時期に無人車両及び有人車両で実行すること」が含まれてもよい。
【００１２】
図１は、自律走行作業車両及び走行作業車両の概略構成を示す側面図であり、図２は、それらの制御構成を示す制御ブロック図である。図１、図２において、自律走行作業車両１となるトラクタの全体構成について説明する。トラクタの車体部は、ボンネット２内にエンジン３が内設され、該ボンネット２の後部のキャビン１１内にダッシュボード１４が設けられ、ダッシュボード１４上に操向操作手段となるステアリングハンドル４が設けられている。該ステアリングハンドル４の回動により操舵装置を介して前輪９・９の向きが回動される。操舵装置を作動させる操舵アクチュエータ４０は制御部３０を構成するステアリングコントローラ３０１と接続される。自律走行作業車両１の操舵方向は操向センサ２０により検知される。操向センサ２０はロータリエンコーダ等の角度センサからなり、前輪９の回動基部に配置される。但し、操向センサ２０の検知構成は限定するものではなく操舵方向が認識されるものであればよく、ステアリングハンドル４の回動を検知したり、パワーステアリングの作動量を検知してもよい。操向センサ２０により得られた検出値は制御部３０のステアリングコントローラ３０１に入力される。
【００１３】
制御部３０は、ステアリングコントローラ３０１、エンジンコントローラ３０２、変速制御コントローラ３０３、水平制御コントローラ３０４、作業制御コントローラ３０５、測位制御ユニット３０６、自律走行制御コントローラ３０７等を備え、それぞれＣＰＵ（中央演算処理装置）やＲＡＭやＲＯＭ等の記憶装置やインターフェース等を備え、記憶装置には動作させるためのプログラムやデータ等が記憶され、ＣＡＮ通信によりそれぞれ情報やデータ等を送受信できるように通信可能としている。
【００１４】
前記ステアリングハンドル４の後方に運転席５が配設され、運転席５下方にミッションケース６が配置される。ミッションケース６の左右両側にリアアクスルケース８・８が連設され、該リアアクスルケース８・８には車軸を介して後輪１０・１０が支承される。エンジン３からの動力はミッションケース６内の変速装置（主変速装置や副変速装置）により変速されて、後輪１０・１０を駆動可能としている。変速装置は例えば油圧式無段変速装置で構成して、可変容量型の油圧ポンプの可動斜板をモータ等の変速手段４４により作動させて変速可能としている。変速手段４４は制御部３０の変速制御コントローラ３０３と接続されている。後輪１０の回転数は車速センサ２７により検知され、走行速度として変速制御コントローラ３０３に入力される。但し、車速の検知方法や車速センサ２７の配置位置は限定するものではない。
【００１５】
ミッションケース６内にはＰＴＯクラッチやＰＴＯ変速装置が収納され、ＰＴＯクラッチはＰＴＯ入切手段４５により入り切りされ、ＰＴＯ入切手段４５は表示手段４９を介して制御部３０の自律走行制御コントローラ３０７と接続され、ＰＴＯ軸への動力の断接を制御可能としている。また、作業機として播種機や畦塗機等を装着した場合、作業機独自の制御ができるように作業機コントローラ３０８が備えられ、該作業機コントローラ３０８は情報通信配線（所謂、ＩＳＯＢＵＳ）を介して作業制御コントローラ３０５と接続される。
【００１６】
前記エンジン３を支持するフロントフレーム１３にはフロントアクスルケース７が支持され、該フロントアクスルケース７の両側に前輪９・９が支承され、前記ミッションケース６からの動力が前輪９・９に伝達可能に構成している。前記前輪９・９は操舵輪となっており、ステアリングハンドル４の回動操作により回動可能とするとともに、操舵装置の駆動手段となるパワステシリンダからなる操舵アクチュエータ４０により前輪９・９が左右操舵回動可能となっている。操舵アクチュエータ４０は制御部３０のステアリングコントローラ３０１と接続されて制御される。
【００１７】
エンジン回転制御手段となるエンジンコントローラ３０２にはエンジン回転数センサ６１や水温センサや油圧センサ等が接続され、エンジンの状態を検知できるようにしている。エンジンコントローラ３０２では設定回転数と実回転数から負荷を検出し、過負荷とならないように制御するとともに、後述する遠隔操作装置１１２にエンジン３の状態を送信して表示装置１１３で表示できるようにしている。
【００１８】
また、ステップ下方に配置した燃料タンク１５には燃料の液面を検知するレベルセンサ２９が配置されて表示手段４９と接続され、表示手段４９は自律走行作業車両１のダッシュボードに設けられ、燃料の残量を表示する。そして、燃料の残量は自律走行コントローラ３０７で作業可能時間が演算され、通信装置１１０を介して遠隔操作装置１１２に情報が送信されて、遠隔操作装置１１２の表示装置１１３に燃料残量と作業可能時間が表示可能とされる。なお、回転計、燃料計、油圧、異常を表示する表示手段と、現在位置等を表示可能な表示手段とは別構成でもよい。
【００１９】
前記ダッシュボード１４上にはエンジンの回転計や燃料計や油圧等や異常を示すモニタや設定値等を表示する表示手段４９が配置されている。表示手段４９は遠隔操作装置１１２と同様にタッチパネル式として、データの入力や選択やスイッチ操作やボタン操作等も可能としている。
【００２０】
また、トラクタの車体部の後部に作業機装着装置２３を介して作業機としてロータリ耕耘装置２４が昇降可能に装設させている。前記ミッションケース６上に昇降シリンダ２６が設けられ、該昇降シリンダ２６を伸縮させることにより、作業機装着装置２３を構成する昇降アームを回動させてロータリ耕耘装置２４を昇降できるようにしている。昇降シリンダ２６は昇降アクチュエータ２５の作動により伸縮され、昇降アクチュエータ２５は制御部３０の水平制御コントローラ３０４と接続されている。また、前記作業機装着装置２３の左右一側のリフトリンクには傾斜シリンダが設けられ、該傾斜シリンダを作動させる傾斜アクチュエータ４７は水平制御コントローラ３０４と接続されている。
【００２１】
位置検出部となる測位制御ユニット３０６には位置情報を検出可能とするための移動ＧＰＳアンテナ（測位アンテナ）３４とデータ受信アンテナ３８が接続され、移動ＧＰＳアンテナ３４とデータ受信アンテナ３８は前記キャビン１１上に設けられる。測位制御ユニット３０６には、位置算出手段を備えて緯度と経度を算出し、現在位置を表示手段４９や遠隔操作装置１１２の表示装置１１３で表示できるようにしている。なお、ＧＰＳ（米国）に加えて準天頂衛星（日本) やグロナス衛星（ロシア）等の衛星測位システム（ＧＮＳＳ）を利用することで精度の高い測位ができるが、本実施形態ではＧＰＳを用いて説明する。
【００２２】
自律走行作業車両１は、車体部の姿勢変化情報を得るためにジャイロセンサ３１、および進行方向を検知するために方位角検出部３２を具備し制御部３０と接続されている。但し、ＧＰＳの位置計測から進行方向を算出できるので、方位角検出部３２を省くことができる。ジャイロセンサ３１は自律走行作業車両１の車体部前後方向の傾斜（ピッチ）の角速度、車体部左右方向の傾斜（ロール）の角速度、および旋回（ヨー）の角速度、を検出するものである。該三つの角速度を積分計算することにより、自律走行作業車両１の車体部の前後方向および左右方向への傾斜角度、および旋回角度を求めることが可能である。ジャイロセンサ３１の具体例としては、機械式ジャイロセンサ、光学式ジャイロセンサ、流体式ジャイロセンサ、振動式ジャイロセンサ等が挙げられる。ジャイロセンサ３１は制御部３０に接続され、当該三つの角速度に係る情報を制御部３０に入力する。
【００２３】
方位角検出部３２は自律走行作業車両１の向き（進行方向）を検出するものである。方位角検出部３２の具体例としては磁気方位センサ等が挙げられる。方位角検出部３２はＣＡＮ通信手段を介して自律走行制御コントローラ３０７に情報が入力される。
【００２４】
こうして自律走行制御コントローラ３０７は、上記ジャイロセンサ３１、方位角検出部３２から取得した信号を姿勢・方位演算手段により演算し、自律走行作業車両１の姿勢（向き、車体部前後方向及び車体部左右方向の傾斜、旋回方向）を求める。
【００２５】
次に、自律走行作業車両１の位置情報を衛星測位システムの一つであるＧＰＳ（グローバル・ポジショニング・システム）を用いて取得する。ＧＰＳを用いた測位方法としては、単独測位、相対測位、ＤＧＰＳ（ディファレンシャルＧＰＳ）測位、ＲＴＫ−ＧＰＳ（リアルタイムキネマティック−ＧＰＳ）測位など種々の方法が挙げられ、これらいずれの方法を用いることも可能であるが、本実施形態では測定精度の高いＲＴＫ−ＧＰＳ測位方式を採用する。
【００２６】
ＲＴＫ−ＧＰＳ測位は、位置が判っている基準局と、位置を求めようとする移動局とで同時にＧＰＳ観測を行い、基準局で観測したデータを無線等の方法で移動局にリアルタイムで送信し、基準局の位置成果に基づいて移動局の位置をリアルタイムに求める方法である。
【００２７】
本実施形態においては、自律走行作業車両１に移動局となる測位制御ユニット３０６と移動ＧＰＳアンテナ３４とデータ受信アンテナ３８が配置され、基準局となる固定通信機３５と固定ＧＰＳアンテナ３６とデータ送信アンテナ３９が所定位置に配設される。本実施形態のＲＴＫ−ＧＰＳ測位は、基準局および移動局の両方で位相の測定（相対測位）を行い、基準局の固定通信機３５で測位したデータをデータ送信アンテナ３９からデータ受信アンテナ３８に送信する。
【００２８】
自律走行作業車両１に配置された移動ＧＰＳアンテナ３４はＧＰＳ衛星３７・３７・・・からの信号を受信する。この信号は測位制御ユニット３０６に送信され測位される。そして、同時に基準局となる固定ＧＰＳアンテナ３６でＧＰＳ衛星３７・３７・・・からの信号を受信し、固定通信機３５で測位し測位制御ユニット３０６に送信し、観測されたデータを解析して移動局の位置を決定する。
【００２９】
こうして、自律走行コントローラ３０７は自律走行作業車両１を自律走行させる自律走行手段として備えられる。つまり、自律走行コントローラ３０７と接続された各種情報取得ユニットによって、自律走行作業車両１の走行状態を各種情報として取得し、自律走行コントローラ３０７と接続された各種制御ユニットによって、自律走行作業車両１の自律走行を制御する。具体的には、ＧＰＳ衛星３７・３７・・・から送信される電波を受信して測位制御ユニット３０６において設定時間間隔で車体部の位置情報を求め、ジャイロセンサ３１及び方位角検出部３２から車体部の変位情報および方位情報を求め、これら位置情報と変位情報と方位情報に基づいて車体部が予め設定した経路（走行経路と作業経路）Ｒに沿って走行するように、操舵アクチュエータ４０、変速手段４４、昇降アクチュエータ２５、ＰＴＯ入切手段４５、エンジンコントローラ３０２等を制御して自律走行し自動で作業できるようにしている。
【００３０】
また、自律走行作業車両１には障害物センサ４１が配置されて制御部３０と接続され、障害物に衝突しないようにしている。例えば、障害物センサ４１はレーザセンサや超音波センサやカメラで構成して車体部の前部や側部や後部に配置して制御部３０と接続し、制御部３０によって車体部の前方や側方や後方に障害物があるかどうかを検出し、障害物が設定距離以内に近づくと走行を停止させるように制御する。
【００３１】
また、自律走行作業車両１には前方を撮影するカメラ４２Ｆや後方の作業機や作業後の圃場状態を撮影するカメラ４２Ｒが搭載され制御部３０と接続されている。カメラ４２Ｆ・４２Ｒは本実施形態ではキャビン１１のルーフの前部上と後部上に配置しているが、配置位置は限定するものではなく、キャビン１１内の前部上と後部上や一つのカメラ４２を車体部中心に配置して鉛直軸を中心に回転させて周囲を撮影しても、複数のカメラ４２を車体部の四隅に配置して車体部周囲を撮影する構成であってもよい。また、キャビン１１やボンネット２等に自律走行作業車両１の製造社のエンブレムが取り付けられている場合、当該エンブレムの背面側にカメラ４２Ｆ・４２Ｒを配することとしてもよい。その場合、エンブレム内には貫通穴或いは所定の隙間が設定され、カメラ４２Ｆ・４２Ｒのレンズが当該貫通穴或いは隙間の位置に相当することで撮影が妨げられない。カメラ４２Ｆ・４２Ｒで撮影された映像は走行作業車両１００に備えられた遠隔操作装置１１２の表示装置１１３に表示される。
【００３２】
遠隔操作装置１１２は前記自律走行作業車両１の後述する経路Ｒを設定したり、自律走行作業車両１を遠隔操作したり、自律走行作業車両１の走行状態や作業機の作動状態を監視したり、作業データを記憶したりするものであり、操作側の制御部（ＣＰＵやメモリ）１３０や通信装置１１１や表示装置１１３や記憶部１１４等を備える。
【００３３】
有人走行車両となる走行作業車両１００は作業者が乗車して運転操作するとともに、走行作業車両１００に遠隔操作装置１１２を搭載して自律走行作業車両１を操作可能としている。走行作業車両１００の基本構成は自律走行作業車両１と略同じ構成であるので詳細な説明は省略する。なお、走行作業車両１００（または遠隔操作装置１１２）にＧＰＳ用の制御ユニットを備える構成とすることも可能である。
【００３４】
遠隔操作装置１１２は、走行作業車両１００及び自律走行作業車両１のダッシュボードやキャビン１１のピラー等に設けられる取付部（不図示の例えば遠隔操作装置１１２を取り付け固定可能なアーム部材）に着脱可能としている。遠隔操作装置１１２は走行作業車両１００の取付部に取り付けたまま操作することも、走行作業車両１００の外に持ち出して携帯して操作することも、自律走行作業車両１の取付部に取り付けたまま操作することも可能である。遠隔操作装置１１２は例えばノート型やタブレット型のパーソナルコンピュータ等の無線通信端末で構成することができる。本実施形態ではタブレット型のコンピュータで構成している。
【００３５】
さらに、遠隔操作装置１１２と自律走行作業車両１は無線で相互に通信可能に構成しており、自律走行作業車両１と遠隔操作装置１１２には通信するための通信装置１１０・１１１がそれぞれ設けられている。通信装置１１１は遠隔操作装置１１２に一体的に構成されている。通信手段は例えばＷｉＦｉ等の無線ＬＡＮで相互に通信可能に構成されている。遠隔操作装置１１２は画面に触れることで操作可能なタッチパネル式の操作画面とした表示装置１１３を筐体表面に設け、筐体内に通信装置１１１や制御部１３０や記憶部１１４やバッテリ等を備える。記憶部１１４には、自律走行作業車両１や走行作業車両１００や作業機の仕様（本体部及び作業機の全長や幅や高さ等の各種長さ、エンジンの種類や馬力、変速比、作業能力等）や後述する経路設定に関わる設定値や設定後の経路等が記憶される。なお、経路生成設定後に自律走行作業車両１の制御部３０に転送した後は、制御部３０に備える記憶部にも記憶される。
【００３６】
次に、遠隔操作装置１１２により経路Ｒを設定する手順について説明する。図３は、遠隔操作装置の表示装置に表示される初期画面を示す。但し、自律走行作業車両１が備える制御部３０によって経路Ｒを設定できるようにすることも可能である。遠隔操作装置１１２の表示装置１１３はタッチパネル式としており、電源をオンして遠隔操作装置１１２を起動させると初期画面が現れるようにしている。初期画面では、図３に示すように、トラクタ設定ボタン２０１、圃場設定ボタン２０２、経路生成設定ボタン２０３、データ転送ボタン２０４、作業開始ボタン２０５、終了ボタン２０６が表示される。
【００３７】
まず、トラクタ設定について説明する。トラクタ設定ボタン２０１をタッチすると、過去にこの遠隔操作装置１１２によりトラクタを用いて作業を行った場合、つまり、過去に設定したトラクタが存在する場合、そのトラクタ名（機種）が表示される。表示された複数のトラクタ名から今回使用するトラクタ名をタッチして選択すると、その後、後述する圃場設定に進み、或いは、初期画面に戻ることが可能である。新規にトラクタ設定を行う場合には、トラクタの機種を特定する。この場合、機種名を直接入力する。或いは、複数のトラクタの機種を表示装置１１３に一覧表示させて所望の機種を選択できるようにしている。
【００３８】
トラクタの機種が設定されると、トラクタに装着される作業機のサイズ、形状、作業機の位置の設定画面が現れる。作業機の位置は例えば前部か、前輪と後輪の間か、後部か、オフセットか、を選択する。作業機の設定が終了すると、作業中の車速、作業中のエンジン回転数、旋回時の車速、旋回時のエンジン回転数の設定画面が現れる。作業中の車速は往路と復路で異なる車速とすることも可能である。車速、及び、エンジン回転数の設定が終了すると、後述する圃場設定に進み、或いは、初期画面に戻ることが可能である。
【００３９】
次に、圃場設定について、説明する。図４は、圃場設定時において自律走行作業車両にユーザが搭乗して行う外周走行の様子を示す。図５は、作業領域、枕地領域等、圃場内の設定される領域を示す。圃場設定ボタン２０２をタッチすると、過去にこの遠隔操作装置１１２によりトラクタを用いて作業行った場合、つまり、過去に設定した圃場が存在する場合、設定されている圃場の名前が表示される。表示された複数の圃場名から今回作業を行う圃場名をタッチして選択すると、その後、後述する経路生成設定に進み、或いは、初期画面に戻ることが可能である。なお、設定された圃場を編集又は新規に設定することも可能である。
【００４０】
登録された圃場がない場合には、新規の圃場設定となる。新規の圃場設定を選択すると、図４に示すように、トラクタ（自律走行作業車両１）を圃場Ｈ内の四隅のうちの一つの隅Ａに位置させ、「測定開始」のボタンをタッチする。その後、トラクタを圃場Ｈの外周に沿って走行させて圃場形状を登録する。次に、作業者は、登録された圃場形状から、角位置Ａ・Ｂ・Ｃ・Ｄや変曲点を登録して圃場形状を特定する。
【００４１】
圃場Ｈが特定されると、図５に示すように、作業開始位置Ｓと、作業開始方向Ｆと、作業終了位置Ｇを設定する。この圃場Ｈ内に障害物が存在する場合には、障害物の位置までトラクタを移動させ、「障害物設定」ボタンをタッチして、その周囲を走行して、障害物設定を行う。なお、表示装置１１３には圃場の地図画像を表示することが可能であり、当該地図画像に、上記特定された圃場形状が重畳表示される場合、表示装置１１３上で障害物の周囲を指定することで、障害物設定を行うことができてもよい。上記作業が終了すると、または、過去に登録した圃場を選択すると、確認画面となり、ＯＫ（確認）ボタンと「編集／追加」ボタンが表示される。過去に登録した圃場に変更がある場合には、「編集／追加」ボタンをタッチする。
【００４２】
前記圃場設定においてＯＫボタンをタッチすると、経路生成設定となる。経路生成設定は初期画面で経路生成設定ボタン２０３をタッチすることによっても経路生成設定が可能となる。経路生成設定では、自律走行作業車両１に対して走行作業車両１００がどの位置で走行するかの選択画面が表示される。つまり、自律走行作業車両１と走行作業車両１００の位置関係を設定する。具体的には、（１）走行作業車両１００が自律走行作業車両１の左後方に位置する。（２）走行作業車両１００が自律走行作業車両１の右後方に位置する。（３）走行作業車両１００が自律走行作業車両１の真後ろに位置する。（４）走行作業車両１００は随伴しない（自律走行作業車両１のみで作業を行う）。の４種類が表示され、タッチすることにより選択できる。
【００４３】
次に、走行作業車両１００の作業機の幅を設定する。つまり、作業機の幅を数字で入力する。次に、スキップ数を設定する。つまり、自律走行作業車両１が圃場外周端部（枕地）に至り第一の経路から第二の経路に移動する時に、経路を何本飛ばすかを設定する。具体的には、（１）スキップしない。（２）１列スキップ。（３）２列スキップ。のいずれかを選択する。次に、オーバーラップの設定を行う。つまり、作業経路と隣接する作業経路における作業幅の重複量の設定を行う。具体的には、（１）オーバーラップしない。（２）オーバーラップする。を選択する。なお、「オーバーラップする」を選択すると、数値入力画面が表示され、数値を入力しないと次に進むことができない。
【００４４】
次に、外周設定が行われる。つまり、図５に示すような、自律走行作業車両１と走行作業車両１００とにより、または、自律走行作業車両１により作業を行う作業領域ＨＡの外側の領域が設定される。言い換えれば、圃場端で非作業状態として旋回走行する枕地ＨＢと、枕地ＨＢと枕地ＨＢとの間の左右両側の圃場外周に接する非作業領域とする側部余裕地ＨＣが設定される。よって、圃場Ｈ＝作業領域ＨＡ＋枕地ＨＢ＋枕地ＨＢ＋側部余裕地ＨＣ＋側部余裕地ＨＣとなる。通常、枕地ＨＢの幅Ｗｂと側部余裕地ＨＣの幅Ｗｃは、走行作業車両１００が装着した作業機の幅の二倍以下の長さとして、自律走行作業車両１と走行作業車両１００とによる随伴作業が終了した後に、作業者が走行作業車両１００に乗り込み、手動操作で外周を二周することで、仕上げることができるようにしている。但し、圃場外周の形状が複雑でない場合には、自律走行作業車両１で外周を作業することも可能である。なお、外周設定において、枕地ＨＢの幅Ｗｂ及び側部余裕地ＨＣの幅Ｗｃは、作業機の幅に応じて自動的に所定の幅に算出されるが、算出された枕地ＨＢの幅Ｗｂ及び側部余裕地ＨＣの幅Ｗｃは、任意の幅に変更可能であり、ユーザは所望の幅に変更した上で、変更後の幅Ｗｂ、幅Ｗｃを夫々、枕地ＨＢの幅、側部余裕地ＨＣの幅として設定可能である。但し、任意の幅に変更可能である場合、圃場内における走行、作業並びに安全性を考慮して算出される最小設定幅以下に設定することはできない。例えば、枕地ＨＢや側部余裕地ＨＣにおいて自律走行作業車両１が走行や旋回した場合に、作業機が圃場外に飛び出ないことを保証する幅が最小設定幅として算出される。
【００４５】
上記の各種設定の入力が終了すると、確認画面が現れ、確認をタッチすると、自動で経路Ｒが生成される。経路Ｒは作業経路Ｒａと走行経路Ｒｂからなり、作業経路Ｒａは作業領域ＨＡ内で生成される経路で、作業を行いながら走行する経路であり、直線の経路となる。但し、作業領域ＨＡが矩形でない場合には作業領域ＨＡ外の領域（枕地ＨＢと側部余裕地（サイドマージン）ＨＣ）にはみ出すこともある。走行経路Ｒｂは作業領域ＨＡ外の領域で生成される経路で、作業を行わずに走行する経路であり、直線と曲線を組み合わせた経路となる。主に、枕地ＨＢでの旋回走行となる。
【００４６】
前記経路Ｒは自律走行作業車両１と走行作業車両１００の経路Ｒが生成される。前記作業経路生成後にその作業経路を見たい場合は、経路生成設定ボタン２０３をタッチすることでシミユレーション画像が表示され、確認することができる。なお、経路生成設定ボタン２０３をタッチしなくても経路Ｒは生成されている。経路生成設定の各項目を設定すると、経路生成設定が表示され、その下部に、「経路設定ボタン」「データ転送する」「ホームへ戻る」が選択可能に表示される。
【００４７】
経路生成設定で生成された経路（経路Ｒ）に関する情報を転送するときは、初期画面において設けられたデータ転送ボタン２０４をタッチすることで転送できる。この転送は遠隔操作装置１１２で行われるため、これら設定した情報を自律走行作業車両１の制御装置に転送する必要がある。この転送は、（１）端子を用いて転送する方法と、（２）無線で転送する方法があり、本実施形態では、端子を用いる場合には、ＵＳＢケーブルを用いて遠隔操作装置１１２と自律走行作業車両１の制御装置を直接つなぐ、あるいは、ＵＳＢメモリに一旦記憶させてから、自律走行作業車両１のＵＳＢ端子に接続して転送する。また、無線で転送する場合は、ＷｉＦｉ（無線ＬＡＮ）を用いて転送する。
【００４８】
次に、前記経路生成設定において、自律走行作業車両１の作業経路Ｒａに所定幅より狭い条または狭い部分が存在する場合の処理について説明する。作業経路Ｒａ上の作業領域の幅を作業域幅Ｗｒとし、前記所定幅は、自律走行作業車両１または走行作業車両１００に装着される作業機（ロータリ耕耘装置２４）の作業幅（以下走行作業幅Ｗ１）、または、作業機が本体部（トラクタ）の幅よりも狭い場合は本体部の幅とする。本実施形態では、作業機の幅は本体部の幅よりも長く、自律走行作業車両１と走行作業車両１００には同じ作業機が装着されるものとし、オーバーラップは０として説明する。また、所定幅に満たない部分（作業領域）を有する条の経路を狭作業経路Ｒｃと称する。
【００４９】
経路生成設定において、作業経路Ｒａに所定幅（以下の本実施形態では走行作業幅Ｗ１）より狭い条または狭い部分が存在する狭作業経路Ｒｃがある場合、その経路Ｒを表示して、作業を行うか、行わないかを選択できるようにしている。つまり、狭作業経路Ｒｃを自律走行作業車両１が作業するか、作業しないかを、予め設定しておかないと、自律走行作業車両１が狭作業経路Ｒｃの手前に到達したときに、その作業経路Ｒａが走行作業幅Ｗ１に満たないので作業不可能と判断して、狭作業経路Ｒｃに入る手前で停止して作業を中断してしまうおそれがあるからである。また、狭作業経路Ｒｃの作業を行わずに終了すると、未耕地が残ってしまうことになる。そこで、経路生成設定において、狭作業経路Ｒｃが存在する場合には、作業を行うか、行わないかを予め選択できるようにしている。なお、有人の走行作業車両１００の作業経路Ｒａに狭作業経路Ｒｃが存在する場合には、作業者が決め、選択画面は表示されない。但し、選択できるようにしてもよい。
【００５０】
前記狭作業経路Ｒｃを作業すると設定した場合には、側部余裕地ＨＣ（第２領域）にはみ出して作業が行われる。狭作業経路Ｒｃを作業しないと設定した場合には、狭作業経路Ｒｃの作業領域ＨＡは、作業領域ＨＡの作業が終了した後に、枕地ＨＢと側部余裕地ＨＣを作業するときに行われる。若しくは、左右の側部余裕地ＨＣの幅を調整して、狭作業経路Ｒｃが走行作業幅Ｗ１となるように幅を広げて狭作業経路Ｒｃをなくすようにすることもできる。左右の側部余裕地ＨＣの幅を狭くして、狭作業経路Ｒｃが走行作業幅Ｗ１となるように幅を広げる場合、変更後（狭くした後）の側部余裕地ＨＣの幅が走行作業幅Ｗ１及び走行作業長Ｌ１に基づいて特定される制限幅以下とならないようにされる。言い換えれば、側部余裕地ＨＣの幅を制限幅以下としなければ狭作業経路Ｒｃが走行作業幅Ｗ１とならない場合、左右の側部余裕地ＨＣの幅を調整しないこととする。
【００５１】
具体的に、圃場Ｈの形状に応じた処理を説明する。まず、矩形の圃場で経路Ｒが生成される場合、作業領域ＨＡで走行作業幅Ｗ１の往復の作業経路Ｒａが生成される。図６に示すように、最終作業経路Ｒａ（最終条）において、作業域幅Ｗｒは走行作業幅Ｗ１（所定幅）より短くなり、狭作業経路Ｒｃが発生する。言い換えれば、作業領域ＨＡの幅は走行作業幅Ｗ１の整数倍となることは殆どないため、最終条には狭作業経路Ｒｃができてしまう。
【００５２】
この経路生成設定時に、操作側の制御部１３０は、狭作業経路Ｒｃの作業を行うか、行わないかの選択画面を表示する。作業者が「作業を行う」を選択すると、操作側の制御部１３０は側部余裕地ＨＣにはみ出して作業を実施するように、狭作業経路Ｒｃは作業経路Ｒａとして生成される。なお、狭作業経路Ｒｃを作業しないと設定した場合には、前記圃場Ｈに対して設定された前記作業終了位置Ｇ（図５、図６）とは異なり、１工程手前の条の終端となる前記作業経路Ｒａに作業の終了位置Ｇａが設定される。
【００５３】
また、圃場Ｈの形状が台形等、終了側の圃場端の辺が斜めの形状の場合、図７に示すように、走行作業幅Ｗ１に満たない三角形状の作業領域ができる。この場合も経路生成設定時に、操作側の制御部１３０は最終条が走行作業幅Ｗ１（所定幅）に満たないと判断して狭作業経路Ｒｃとし、この狭作業経路Ｒｃを自律走行作業車両１が作業するとなった場合、狭作業経路Ｒｃの作業を行うか、行わないかの選択画面を表示する。作業者が「作業を行う」を選択すると、操作側の制御部１３０は側部余裕地ＨＣにはみ出して作業を実施するように、狭作業経路Ｒｃを作業経路Ｒａとして生成する。
【００５４】
また、作業領域ＨＡの形状が、図８に示すような階段状である場合、飛び出た凸部領域において、走行作業幅Ｗ１に満たない狭作業経路Ｒｃができる。この場合も経路生成設定時に、操作側の制御部１３０は、作業域幅Ｗｒが走行作業幅Ｗ１（所定幅）に満たないと判断して狭作業経路Ｒｃとし、この狭作業経路Ｒｃを自律走行作業車両１が作業するとなった場合、狭作業経路Ｒｃの作業を行うか、行わないかの選択画面を表示する。作業者が「作業を行う」を選択すると、操作側の制御部１３０は側部余裕地ＨＣにはみ出して作業を実施するように、狭作業経路Ｒｃは作業経路Ｒａとして生成される。
【００５５】
また、圃場Ｈの形状が台形等、開始側の圃場端の辺が斜めの形状の場合、図９に示すように、走行作業幅Ｗ１に満たない部分を有する三角形状の作業領域ができ狭作業経路Ｒｃとなる。この狭作業経路Ｒｃの経路長（進行方向長さ）Ｌｃが、走行作業長Ｌ１を所定倍した長さに満たない場合、前記狭作業経路Ｒｃに作業経路Ｒａを生成しないようにしている。つまり、走行作業長Ｌ１とは、前記車体部に作業機を装着した状態の前端から後端までの長さとし、遠隔操作装置１１２の記憶部１１４に記憶されており、操作側の制御部１３０は、経路生成設定時に前記狭作業経路Ｒｃの経路長Ｌｃが、前記走行作業長Ｌ１の何倍になるか演算し、所定倍した長さに満たない場合、前記狭作業経路Ｒｃに作業経路Ｒａを生成しないものである。所定倍は、例えば、２倍とする。このような短い作業経路では、走行作業車両１００を作業者が運転して作業処理し、バックして作業開始位置に戻って、協調作業を行うほうが、効率良く作業ができるからである。但し、図７、図８のような、作業経路Ｒａの延長上に狭作業経路Ｒｃができる場合は除外する。
【００５６】
本実施形態では狭作業経路Ｒｃの作業を行うか行わないかを選択可能としたが、上述したように、作業領域ＨＡの幅が走行作業幅Ｗ１の定数倍となることは殆どないことから、作業者に選択させることなく、原則として狭作業経路Ｒｃで作業を行うこととし、所定条件下では狭作業経路Ｒｃで作業を行わないことしてもよい。所定条件としては上述した狭作業経路Ｒｃの経路長が走行作業長Ｌ１の定数倍に満たない場合が例示される。
【００５７】
以上のように、衛星測位システムを利用して、設定した経路Ｒを走行可能な自律走行作業車両１の車体部を走行させる走行領域となる圃場Ｈ、並びに、前記車体部の幅、及び／もしくは、前記車体部に装着される作業機（ロータリ耕耘装置２４）の幅となる走行作業幅Ｗ１の情報を記憶可能な記憶部１１４と、前記圃場Ｈ内における前記作業機による作業経路Ｒａを生成可能な操作側の制御部１３０と、を備え、前記圃場Ｈは、前記作業経路Ｒａを含む第１領域となる作業領域ＨＡと、第１領域の周囲に設定される第２領域となる枕地ＨＢと側部余裕地ＨＣとを含み、前記操作側の制御部１３０は、前記第１領域に作業経路Ｒａを生成したときに前記走行作業幅Ｗ１よりも狭い狭作業経路Ｒｃが生じる場合、該狭作業経路Ｒｃには前記第２領域に跨る走行作業幅Ｗ１の作業経路Ｒａを生成可能とするので、第一領域に狭作業経路Ｒｃが発生する場合であっても、自律走行作業車両１による作業経路Ｒａの設定が所定の原則に従って行われ、未耕地が残ることがない経路生成設定が行われる。
【００５８】
また、前記記憶部１１４は、前記車体部に作業機を装着した状態の前端から後端までの長さとなる走行作業長Ｌ１の情報を記憶し、前記操作側の制御部１３０は、前記狭作業経路Ｒｃの経路長Ｌｃが、前記走行作業長Ｌ１を所定倍した長さに満たない場合、前記狭作業経路Ｒｃに作業経路を生成しないので、特に短い作業経路はＵターンや切り返しを繰り返すことなく別の形態で作業を行って、作業効率を向上させることができる。
【００５９】
また、前記操作側の制御部１３０は、前記走行領域（圃場Ｈ）に対して設定される作業開始位置Ｓと作業方向Ｆと作業終了位置Ｇとに基づいて前記作業経路Ｒａを生成可能であって、前記狭作業経路Ｒｃに作業経路Ｒａを生成しない場合、前記走行領域に対して設定された前記作業終了位置Ｇと、前記作業経路における前記作業機による作業の終了位置と異なる位置の作業終了位置Ｇａに設定可能とするので、作業終了位置Ｇａで作業を終了してから狭作業経路Ｒｃの作業を行わずに作業終了位置Ｇまで移動させる必要がなくなり、作業を速く終了して、無駄な走行を防止できる。なお、作業終了位置Ｇａから作業終了位置Ｇまで枕地ＨＢ及び側部余裕地ＨＣを通って走行させることとしてもよい。これにより作業車が圃場設定において設定した作業終了位置Ｇに自律走行作業車両１が移動することとなって圃場出口が作業終了位置Ｇ付近にある場合等に作業者が自ら操作して自律走行作業車両１を作業終了位置Ｇに移動させる必要がなくなり、作業者の手間を省くことができる。
【符号の説明】
【００６０】
１      自律走行作業車両
３０    制御部
１１０・１１１  通信装置
１１２  遠隔操作装置
１１４  記憶部
１３０  操作側の制御部
Ｇ・Ｇａ  作業終了位置
Ｈ      圃場
Ｌ１  走行作業長
Ｒ      経路
Ｒａ    作業経路
Ｒｂ    走行経路
Ｒｃ  狭作業経路
ＨＡ    作業領域
Ｗ１  走行作業幅
【図１】
2020113295.tif 000003
【図２】
2020113295.tif 000004
【図３】
2020113295.tif 000005
【図４】
2020113295.tif 000006
【図５】
2020113295.tif 000007
【図６】
2020113295.tif 000008
【図７】
2020113295.tif 000009
【図８】
2020113295.tif 000010
【図９】
2020113295.tif 000011